(57)【要約】【課題】ＭＰ３、ミュージックビデオ、映画のような大容量データを移動通信端末機でダウンロードするときのコストや無線資源を低減する。【解決手段】移動通信網を介して所望のデータを選択する段階と、該選択データを放送網を介してダウンロードする段階と、を含んで構成されることを特徴としたデータダウンロード方法を提供する。本発明によれば、移動通信網の無線インターネットではないＤＭＢのような放送網のデータチャネルを介して大容量データをダウンロードするため、従来に比べて大容量データのダウンロードのための無線インターネットの利用費、資源を節減可能になる。【選択図】図２
2006352870.tif 000002
【特許請求の範囲】
【請求項１】
ａ）移動通信網を介してデータを選択する段階と、
ｂ）前記選択データを、放送網を介してダウンロードする段階と、
を含んで構成されることを特徴とする、移動通信端末機におけるデータダウンロード方法。
【請求項２】
前記選択データ用の暗号キーを受信する段階をさらに含むことを特徴とする請求項１に記載の移動通信端末機におけるデータダウンロード方法。
【請求項３】
受信した前記暗号キーを用いて、ダウンロードした前記データを復号化する段階をさらに含むことを特徴とする請求項２に記載の移動通信端末機におけるデータダウンロード方法。
【請求項４】
前記選択データの転送スケジュールを受信する段階をさらに含み、
前記選択データは、当該転送スケジュールによってダウンロードされることを特徴とする請求項１〜３のいずれか１項に記載の移動通信端末機におけるデータダウンロード方法。
【請求項５】
前記ｂ）段階において、
前記放送網が移動放送サービス網であり、
前記選択データは、当該移動放送サービス網のデータチャネルを介してダウンロードされることを特徴とする請求項１〜４のいずれか１項に記載の移動通信端末機におけるデータダウンロード方法。
【請求項６】
ａ）移動通信端末機が、移動通信網を介しデータ提供サーバに接続してデータを選択する段階と、
ｂ）前記データ提供サーバが、前記選択データの転送のための転送スケジュールを予約する段階と、
ｃ）前記データ提供サーバが、前記スケジュールによって、前記選択データを放送網を介して転送する段階と、
ｄ）前記移動通信端末機が、前記放送網を介して前記転送データを受信する段階と、
を含むことを特徴とするデータダウンロード方法。
【請求項７】
前記ｂ）段階において、
前記選択データの転送スケジュールが既に予約されていた場合、前記マルチメディア提供サーバは、当該予約済みの転送スケジュールを前記移動通信端末機のための転送スケジュールとして用いることを特徴とする請求項６に記載のデータダウンロード方法。
【請求項８】
前記ｂ）段階において、
前記データ提供サーバが、前記選択データ用の暗号キーを生成する段階をさらに含むことを特徴とする請求項６に記載のデータダウンロード方法。
【請求項９】
前記ｂ）段階において、
前記データ提供サーバが、前記暗号キー及び前記転送スケジュールを、前記移動通信網を介して前記移動通信端末機へ転送する段階をさらに含むことを特徴とする請求項８に記載のデータダウンロード方法。
【請求項１０】
前記ｃ）段階において、
前記選択データは、前記暗号キーによって暗号化して転送されることを特徴とする請求項９に記載のデータダウンロード方法。
【請求項１１】
前記ｄ）段階において、
前記移動通信端末機は、前記転送スケジュールによって自動的に前記転送データを受信することを特徴とする請求項９に記載のデータダウンロード方法。
【請求項１２】
前記ｄ）段階において、
前記移動通信端末機が、受信した前記転送データを前記暗号キーで復号化する段階をさらに含むことを特徴とする請求項１０に記載のデータダウンロード方法。
【請求項１３】
前記ｄ）段階において、
前記移動通信端末機が、前記転送データの受信完了を知らせる受信完了メッセージを、前記移動通信網を介して前記データ提供サーバに提供する段階をさらに含むことを特徴とする請求項６に記載のデータダウンロード方法。
【請求項１４】
前記データ提供サーバは、前記受信完了メッセージを受信するまで前記選択データの転送を反復することを特徴とする請求項１３に記載のデータダウンロード方法。
【請求項１５】
前記選択データを複数の移動通信端末機に転送する場合、前記データ提供サーバは、該複数の移動通信端末機から前記受信完了メッセージを受信するまで前記選択データの転送を反復することを特徴とする請求項１４に記載のデータダウンロード方法。
【請求項１６】
前記データ提供サーバは、前記移動通信端末機から前記受信完了メッセージを受信する前に前記転送スケジュールによる転送時間が満了すると、前記選択データの転送を終了することを特徴とする請求項１４に記載のデータダウンロード方法。
【請求項１７】
前記ｃ）段階において、
前記放送網が移動放送サービス網であり、
前記データ提供サーバは、前記移動放送サービス網のデータチャネルを介して前記選択データを転送することを特徴とする請求項６に記載のデータダウンロード方法。
【請求項１８】
データを提供するデータ提供サーバと、
該データ提供サーバに移動通信網を介し接続して前記データを選択し、該選択データを、放送網を介して受信する移動通信端末機と、
を含んで構成されることを特徴とするデータダウンロードシステム。
【請求項１９】
データ提供サーバに移動通信網を介し接続してデータを選択できる無線通信モジュールと、
前記選択データを、移動放送サービス網を介してダウンロードできる移動放送モジュールと、
を含んで構成されることを特徴とする、データをダウンロードできる移動通信端末機。
【発明の詳細な説明】
【技術分野】
【０００１】
本発明は、データダウンロード方法及びシステムに係り、特に、ＭＰ３、ミュージックビデオ、映画などのマルチメディアコンテンツに代表される大容量データを移動通信（移動体通信）端末機にダウンロードする方法及びこれを実現するシステムに関する。
【背景技術】
【０００２】
近来、情報通信分野の目覚ましい発展に伴い、情報及び通信環境の急激な変化を迎えており、なかでも、移動通信端末機は、現代社会において必需品とされるまでに広く使用されている。このような移動通信端末機の底辺拡大に伴う需要者等のニーズに応じて、移動通信端末機には一般の音声通話に加えてより様々な機能が与えられており、その代表例には、ショートメッセージ機能、マルチメディアコンテンツダウンロード及び再生機能などがある。
【０００３】
なかでも、マルチメディアコンテンツダウンロードについて説明すると、既存の移動通信端末機は、マルチメディアコンテンツをダウンロードする場合、移動通信網を介した無線インターネットを主として用いる。ところが、多数の端末機使用者が大容量のマルチメディアコンテンツを同時に且つ頻繁にダウンロードしてしまうと、無線インターネットのネットワーク帯域幅は限定されているため、トラフィックが増加することになって具合が悪い。このような点を考慮してキャリア各社は、マルチメディアコンテンツダウンロードによるトラフィック発生に対して、端末機使用者にパケット単位で無線インターネット料金を課金している。
【発明の開示】
【発明が解決しようとする課題】
【０００４】
上記従来技術においては、移動通信端末機でマルチメディアコンテンツをダウンロードしたい場合、使用者はコンテンツそのものの料金の外に、コンテンツをダウンロードするための無線インターネットトラフィック料金をさらに支払わねばならない。これは、マルチメディアコンテンツの利用頻度は最も高いけれども経済的能力の低い１０代から２０代の使用者とって、大きな負担にならざるを得ない。また、マルチメディアコンテンツ提供者にとっては、限定されたネットワーク資源を用いて大容量マルチメディアコンテンツを転送するため、同時に多くの使用者には提供し難いという問題点もあった。
【０００５】
本発明は上記の問題点を解決するためのもので、その目的は、使用者にとっては、二重課金の問題を減らして、より安価にマルチメディアコンテンツをダウンロードすることができ、マルチメディアコンテンツ提供者にとっては、マルチメディアコンテンツを同時に多くの使用者に提供でき、収益性を高めることができるマルチメディアコンテンツダウンロード方法及びシステムを提供することにある。
【課題を解決するための手段】
【０００６】
上記目的を達成するために、本発明は、移動通信網を介して（使用者所望の）データを選択する段階と、当該選択データを、放送網を介してダウンロードする段階と、を含んで構成されることを特徴とする、移動通信端末機におけるデータダウンロード方法を提供する。
【０００７】
また、上記目的を達成するために、本発明は、移動通信端末機が、移動通信網を介してデータ提供サーバに接続し、（使用者所望の）データを選択する段階と、前記データ提供サーバが、前記選択データの転送のための転送スケジュールを予約する段階と、前記データ提供サーバが、前記スケジュールに従って、前記選択データを放送網を介して転送する段階と、前記移動通信端末機が、前記放送網を介して前記転送データを受信する段階と、を含んで構成されることを特徴とするデータダウンロード方法を提供する。
【０００８】
また、上記目的を達成するために、本発明は、各種データを提供するデータ提供サーバと、該データ提供サーバに移動通信網を介し接続して（使用者所望の）データを選択し、当該選択データを放送網を介して受信する移動通信端末機と、を含んで構成されることを特徴とするデータダウンロードシステムを提供する。
【０００９】
また、上記目的を達成するために、本発明は、データ提供サーバに移動通信網を介し接続して（使用者所望の）データを選択できる無線通信モジュールと、前記選択データを、移動放送サービス網を介してダウンロードできる移動放送（受信）モジュールと、を含んで構成されることを特徴とする、データをダウンロードできる移動通信端末機を提供する。
【発明の効果】
【００１０】
本発明に係るマルチメディアコンテンツダウンロードの手法によれば、下記の効果が得られる。
【００１１】
第一に、使用者は、移動通信網の無線インターネットではない放送（たとえばＤＭＢ）網のデータチャネルを介してマルチメディアコンテンツをダウンロードできるので、従来に比べて、マルチメディアコンテンツのダウンロードのための無線インターネット利用費を節減できる。
【００１２】
第二に、同じマルチメディアコンテンツに対して複数の使用者がダウンロードを申請する場合、従来は各使用者に対して個別に反復（時分割）してマルチメディアコンテンツを転送しなければならなかったが、本発明によれば放送を利用するので、一度の転送で複数の使用者にマルチメディアコンテンツを転送でき、限定された資源であるネットワークの使用効率が向上する。
【００１３】
第三に、マルチメディアコンテンツ提供者は、安価にマルチメディアコンテンツを使用者に販売できるため、収益性が高まる。
【発明を実施するための最良の形態】
【００１４】
本発明では、効率的な大容量データ（例えば、マルチメディアコンテンツ）のダウンロードのために放送網を用いる。特に、本発明は、移動中に放送受信可能な移動放送網を用いることが好ましい。移動放送とは、米国のMediaFlo、韓国のＤＭＢ（Digital Multimedia Broadcasting）、ヨーロッパのＤＶＢ−Ｈなどのような移動マルチメディア放送サービスを意味するもので、一般に携帯電話、ＰＤＡまたは車両用レシーバーなどを介して、移動しつつデータ受信ができる多チャネルマルチメディア放送サービス及び高速のデジタルデータサービスを提供する。本発明は、移動放送のこれらデータサービスを用いて大容量データをダウンロードするように構成される。
【００１５】
以下において、説明の簡便上、韓国のＤＭＢ網を介してマルチメディアコンテンツをダウンロードする例を説明するが、該韓国のＤＭＢ網またはマルチメディアコンテンツに限定されるものではなく、データサービス可能な放送網であればいずれも大容量データダウンロードのために適用可能である。
【００１６】
以下、上記の目的を具体的に実現できる本発明の好適な実施例について、添付の図１及び図２を参照しつつ詳細に説明する。
【００１７】
図１は、本発明によるマルチメディアコンテンツダウンロードシステムを示すブロック図であり、図２は、本発明によるマルチメディアコンテンツダウンロード方法を示すフローチャートである。
【００１８】
移動通信端末機１１０の使用者が、移動通信網１３０を介した無線インターネットを用い、マルチメディアコンテンツ提供サーバ１５０（以下、“コンテンツサーバ”ともいう。）に接続する。該移動通信網１３０を介した接続は、移動通信端末機１１０の移動通信モジュール１１３（これは、移動通信端末機１１０の制御部１１７によって制御される。）によって行なわれる。こうなると、コンテンツサーバ１５０は、該端末機使用者に、自分が保有しているマルチメディアコンテンツ（ＭＰ３、ミュージックビデオ、映画などを含む各種データ）の目録を端末機画面を通して提示し、該目録の中から所望のマルチメディアコンテンツを使用者に選択させる［Ｓ２０１］。
【００１９】
その後、コンテンツサーバ１５０は、上記選択されたマルチメディアコンテンツを、ＤＭＢサービス網１９０のＤＭＢデータチャネルを用いて同使用者に転送するための転送スケジュールを予約する［Ｓ２０３］。ＤＭＢデータチャネルを介したデータ提供は、特定の一人にのみ選択的に提供されるものではなく、ＤＭＢサービスに加入した不特定多数に同時に提供される特性があるため、何時、そしてどれくらいの転送時間で、選択マルチメディアコンテンツを提供するか、について転送スケジュールをあらかじめ予約する必要がある。
【００２０】
そして、コンテンツサーバ１５０は、選択マルチメディアコンテンツに対して暗号キーを生成する［Ｓ２０３］。そして、コンテンツサーバ１５０は、該予約された転送スケジュールと生成された暗号キーを、移動通信網１３０を介して移動通信端末機１１０に転送する［Ｓ２０５］。移動通信端末機１１０は、受信した暗号キー及び転送スケジュールを保存する［Ｓ２０７］。暗号キーは、移動通信端末機１１０が後でマルチメディアコンテンツを受信し再生する際に用いられ、転送スケジュールは、移動通信端末機１１０が同転送スケジュールによる日付及び／又は時間になると自動的に当該マルチメディアコンテンツを受信可能にするために用いられる。
【００２１】
一方、当該使用者が選択したものと同じマルチメディアコンテンツを、別のユーザが既にダウンロードするために選択しており、選択マルチメディアコンテンツに対して転送スケジュールが既に予約されている場合もあり得る。この場合、コンテンツサーバ１５０は、当該予約されている転送スケジュールを上記使用者のための転送スケジュールとして用いる。すなわち、この場合のコンテンツサーバ１５０は、既に予約されている転送スケジュールと、既に生成されている暗号キーと同じものとを、使用者に転送する。これは、複数の使用者が同じマルチメディアコンテンツのダウンロードを重複して申請する場合、コンテンツサーバ１５０が同時に複数の使用者に対してマルチメディアコンテンツのダウンロードを可能することによって、ＤＭＢサービス網１９０のデータチャネルをより效率的に使用するためである。
【００２２】
その後、コンテンツサーバ１５０が、選択マルチメディアコンテンツに対し、上記暗号キーで暗号化を実行する［Ｓ２０９］。続いて、転送スケジュールによって予約された転送時間になると、コンテンツサーバ１５０は、暗号化したマルチメディアコンテンツをＤＭＢ用放送設備１７０に送り、放送設備１７０は、受信したマルチメディアコンテンツを、ＤＭＢサービス網１９０のＤＭＢデータチャネルを介して不特定多数の使用者に転送する［Ｓ２１１］。コンテンツを選択した使用者以外の不特定多数のユーザは、該当する暗号キーをもたないので、暗号化マルチメディアコンテンツを受信してもこれを復号化して再生することはできない。暗号キーを移動通信網を介して先に取得している使用者のみが、暗号化コンテンツを受信して復号化し再生することができる。
【００２３】
移動通信端末機１１０は、ＤＭＢデータチャネルを介して転送されるマルチメディアコンテンツを受信する［Ｓ２１１］。したがって、この移動通信端末機１１０は、ＤＭＢモジュール１１５（これは、端末機の制御部１１７によって制御される。）を備えるＤＭＢ用端末機であるのが好ましく、ＤＭＢデータチャネルを介した受信は、そのＤＭＢモジュール１１５で行われる。選択マルチメディアコンテンツの受信が完了すると、移動通信端末機１１０は、受信完了の事実を知らせるための受信完了メッセージを、移動通信網１３０を介してマルチメディアコンテンツ提供サーバ１５０に転送する［Ｓ２１３］。
【００２４】
マルチメディアコンテンツ提供サーバ１５０は、当該受信完了メッセージを受信するまで、転送スケジュールによる転送時間の間、選択マルチメディアコンテンツをＤＭＢデータチャネルを介して繰返し転送する。たとえば、マルチメディアコンテンツを同じ転送スケジュールによって複数の使用者へ転送する場合、コンテンツサーバ１５０は、全ての使用者から受信完了メッセージを受けるまで当該マルチメディアコンテンツを繰返し転送する。コンテンツサーバ１５０は、転送時間内であっても全ての使用者から受信完了メッセージを受けた場合は転送を終了し、残る転送時間を他の使用者のためのマルチメディアコンテンツの予約及び転送のために使用する。反対に、転送時間が経過した場合は、コンテンツサーバ１５０は、受信完了メッセージを受信しなかった場合であっても転送を終了し、次の転送スケジュールによってマルチメディアコンテンツ転送を行う［Ｓ２１５］。
【００２５】
その後、移動通信端末機１１０は、移動通信網１３０を介し受信した暗号キーを用いて、ＤＭＢサービス網１９０を介し受信した暗号化マルチメディアコンテンツを復号化して保存し［Ｓ２１７］、必要に応じて端末機使用者のために再生する。
【００２６】
本発明は、本発明の技術的思想範囲内で他の形態にも具体化できることは、当業者にとって自明である。例えば、上記実施形態では、ＤＭＢサービス網を介したマルチメディアコンテンツダウンロードを説明しているが、その他のデータ転送が可能な放送網を介して実現できるように変更することは、当業者には容易である。したがって、上記の詳細な説明は、あらゆる面において制約的に解析されてはならず、例示的なものとして考慮されるべきである。したがって、本発明の範囲は、添付した請求の範囲の合理的解析によって定められるべきであり、本発明の等価的範囲内におけるあらゆる変更は、本発明の範囲に含まれる。
【図面の簡単な説明】
【００２７】
【図１】本発明によるマルチメディアコンテンツダウンロードシステムを示すブロック図である。
【図２】本発明によるマルチメディアコンテンツダウンロード方法を示すフローチャートである。
【図１】
2006352870.tif 000003
【図２】
2006352870.tif 000004